(57)【要約】【課題】物品の配置方向について少ない制約でＲＦ−ＩＤメディアを用いて物品を管理する。【解決手段】  物品が収納されたパッケージ１０の１つの面に、非接触型ＩＣラベル１を貼付するとともにこの非接触型ＩＣラベル１と電磁結合するコイル状のパッケージアンテナ１１を形成し、このパッケージ１０が収納されるケース２０に、パッケージ１０が収納された場合にパッケージアンテナ１１と対向する面及びその面に隣接する面に渡ってパッケージアンテナ１１と電磁結合するコイル状のケースアンテナ２１を形成する。【選択図】図１
2005228007.tif 000002
【特許請求の範囲】
【請求項１】
パッケージに収納された物品をＲＦ−ＩＤメディアを用いて管理するためのケースユニットであって、
前記パッケージの１つの面に、前記ＲＦ−ＩＤメディアが設けられるとともに該ＲＦ−ＩＤメディアと電磁結合するコイル状のパッケージ用アンテナが形成され、
前記パッケージを収納可能に構成され、前記パッケージが収納された場合に前記パッケージ用アンテナと対向する面及び該面に隣接する面に渡って前記パッケージ用アンテナと電磁結合するコイル状のケース用アンテナが形成されたケースとを有するケースユニット。
【請求項２】
物品が収納されたパッケージを収納可能に構成され、前記パッケージに設けられたＲＦ−ＩＤメディアを用いて物品を管理するためのケースであって、
前記パッケージが収納された場合に、前記パッケージに前記ＲＦ−ＩＤメディアと電磁結合するように形成されたコイル状のパッケージ用アンテナと対向する面及び該面に隣接する面に渡って前記パッケージ用アンテナと電磁結合するコイル状のケース用アンテナが形成されたケース。
【請求項３】
パッケージに収納された物品をＲＦ−ＩＤメディアを用いて管理する物品管理システムであって、
前記パッケージの１つの面に、前記ＲＦ−ＩＤメディアが設けられるとともに該ＲＦ−ＩＤメディアと電磁結合するコイル状のパッケージ用アンテナが形成され、
前記パッケージを収納可能に構成され、前記パッケージが収納された場合に前記パッケージ用アンテナと対向する面及び該面に隣接する面に渡って前記パッケージ用アンテナと電磁結合するコイル状のケース用アンテナが形成されたケースと、
前記ケースが載置可能に構成され、前記ケースが載置された場合に前記ケースに形成された前記ケース用アンテナのうち、前記隣接する面に形成された部分にその一部が対向し、かつ、前記ＲＦ−ＩＤメディアに対する情報の読み出しを行う情報読出手段に接続されたコイル状の読出アンテナが形成された載置部材とを有する物品管理システム。
【請求項４】
請求項３に記載の物品管理システムにおいて、
前記ケース用アンテナは、前記パッケージ用アンテナと対向する面に形成された部分と、前記読出アンテナと対向する部分とでは、前記載置部材上への載置面からの距離が異なるように形成されていることを特徴とする物品管理システム。
【請求項５】
パッケージに収納された物品をＲＦ−ＩＤメディアを用いて管理するためのケースユニットであって、
前記パッケージの１つの面に前記ＲＦ−ＩＤメディアが設けられ、
前記パッケージを収納可能に構成され、前記パッケージが収納された場合に前記ＲＦ−ＩＤメディアと対向する面及び該面に隣接する面に渡って前記ＲＦ−ＩＤメディアと電磁結合するコイル状のケース用アンテナが形成されたケースとを有するケースユニット。
【請求項６】
物品が収納されたパッケージを収納可能に構成され、前記パッケージに設けられたＲＦ−ＩＤメディアを用いて物品を管理するためのケースであって、
前記パッケージが収納された場合に、前記ＲＦ−ＩＤメディアと対向する面及び該面に隣接する面に渡って前記ＲＦ−ＩＤメディアと電磁結合するコイル状のケース用アンテナが形成されたケース。
【請求項７】
パッケージに収納された物品をＲＦ−ＩＤメディアを用いて管理する物品管理システムであって、
前記パッケージの１つの面に前記ＲＦ−ＩＤメディアが設けられ、
前記パッケージを収納可能に構成され、前記パッケージが収納された場合に前記ＲＦ−ＩＤメディアと対向する面及び該面に隣接する面に渡って前記ＲＦ−ＩＤメディアと電磁結合するコイル状のケース用アンテナが形成されたケースと、
前記ケースが載置可能に構成され、前記ケースが載置された場合に前記ケースに形成された前記ケース用アンテナのうち、前記隣接する面に形成された部分にその一部が対向し、かつ、前記ＲＦ−ＩＤメディアに対する情報の読み出しを行う情報読出手段に接続されたコイル状の読出アンテナが形成された載置部材とを有する物品管理システム。
【請求項８】
請求項７に記載の物品管理システムにおいて、
前記ケース用アンテナは、前記ＲＦ−ＩＤメディアと対向する面に形成された部分と、前記読出アンテナと対向する部分とでは、前記載置部材上への載置面からの距離が異なるように形成されていることを特徴とする物品管理システム。
【発明の詳細な説明】
【技術分野】
【０００１】
本発明は、ＲＦ−ＩＤメディアを用いて物品を管理するためのケースユニット、ケース、物品管理システムに関する。
【背景技術】
【０００２】
近年、情報化社会の進展に伴って、商品等に貼付されるラベルに情報を記録し、このラベルを用いての商品等の物品管理が行われている。このようなラベルを用いた物品管理においては、非接触状態にて情報の書き込み及び読み出しを行うことが可能なＩＣチップが搭載された非接触型ＩＣラベルを用いた物品管理が、その優れた利便性から急速な普及が進みつつある。
【０００３】
図１１は、一般的な非接触型ＩＣラベルの構造の一例を示す図である。
【０００４】
本例における非接触型ＩＣラベルは図１１に示すように、樹脂シート等のベース基材５５０上に、外部からの情報の書き込み及び読み出しが可能なＩＣチップ５１０が搭載されるとともに、接点５４０を介してＩＣチップ５１０と接続され、外部に設けられた情報書込／読出装置（不図示）からの電磁誘導によりＩＣチップ５１０に電流を供給し、ＩＣチップ５１０に対する情報の書き込み及び読み出しを非接触状態にて行うための導電性のアンテナ５２０がコイル状に形成されて構成されている。
【０００５】
上記のように構成された非接触型ＩＣラベル５００においては、外部に設けられた情報書込／読出装置に近接すると、情報書込／読出装置からの電磁誘導によりアンテナ５２０に電流が流れ、この電流がＩＣチップ５１０に供給され、それにより、非接触状態において、情報書込／読出装置からＩＣチップ５１０に情報が書き込まれたり、ＩＣチップ５１０に書き込まれた情報が情報書込／読出装置にて読み出されたりする。
【０００６】
このような非接触型ＩＣラベル５００等のようなＲＦ−ＩＤメディアは、例えば、レンタルビデオやレンタルＣＤ等の物品管理に利用することが考えられる。また、そのようなＲＦ−ＩＤメディアを用いた物品管理方法として、例えば、物品となる書籍の背表紙と綴じ部との間に、固有なタグＩＤが書き込まれたＲＦ−ＩＤメディアを装着しておき、このタグＩＤによって書籍の物流あるいは在庫管理を行うことが考えられている（例えば、特許文献１参照。）。
【特許文献１】特開２００３−６３６５５号公報
【発明の開示】
【発明が解決しようとする課題】
【０００７】
上述したようなＲＦ−ＩＤメディアにおいては、情報書込／読出装置のコイル状のアンテナとＲＦ−ＩＤメディアのコイル状のアンテナとが電磁結合することにより、ＲＦ−ＩＤメディアのアンテナに電流が流れ、この電流がＲＦ−ＩＤメディアのＩＣチップに供給され、情報の書き込みあるいは読み出しが行われることになるが、情報書込／読出装置のアンテナとＲＦ−ＩＤメディアのアンテナとを対向させた場合と、情報書込／読出装置のアンテナとＲＦ−ＩＤメディアのアンテナとを互いに垂直となるように配置した場合とでは、情報書込／読出装置とＲＦ−ＩＤメディアとの間における通信可能距離が大きく異なり、情報書込／読出装置のアンテナとＲＦ−ＩＤメディアのアンテナとを互いに垂直となるように配置した場合は、情報書込／読出装置のアンテナとＲＦ−ＩＤメディアのアンテナとを対向させた場合と比べて、情報書込／読出装置のアンテナとＲＦ−ＩＤメディアとの間の通信可能距離が極めて短いものとなってしまう。
【０００８】
ここで、上述したようにＲＦ−ＩＤメディアを物品に貼付して物品管理を行う場合、物品単品に対しては、物品に貼付されたＲＦ−ＩＤメディアのアンテナと情報書込／読出装置のアンテナとを容易に対向させることができるが、ＲＦ−ＩＤメディアが貼付された物品が複数存在する場合や、ＲＦ−ＩＤメディアが貼付された物品がケース等に収納されている場合においては、ＲＦ−ＩＤメディアのアンテナと情報書込／読出装置のアンテナとの相対的な配置方向における制約が生じ、それらを互いに対向させることが困難となってしまう場合があり、ＲＦ−ＩＤメディアのアンテナと情報書込／読出装置のアンテナとを対向させることができない場合、ＲＦ−ＩＤメディアと情報書込／読出装置のアンテナとの間の通信可能距離が極めて短いものとなってしまうという問題点がある。
【０００９】
本発明は、上述したような従来の技術が有する問題点に鑑みてなされたものであって、ＲＦ−ＩＤメディアを用いて物品を管理するためのケースユニット、ケース、物品管理システムであって、物品の配置方向について少ない制約でＲＦ−ＩＤメディアを用いて物品を管理することができるのケースユニット、ケース、物品管理システムを提供することを目的とする。
【課題を解決するための手段】
【００１０】
上記目的を達成するために本発明は、
パッケージに収納された物品をＲＦ−ＩＤメディアを用いて管理するためのケースユニットであって、
前記パッケージの１つの面に、前記ＲＦ−ＩＤメディアが設けられるとともに該ＲＦ−ＩＤメディアと電磁結合するコイル状のパッケージ用アンテナが形成され、
前記パッケージを収納可能に構成され、前記パッケージが収納された場合に前記パッケージ用アンテナと対向する面及び該面に隣接する面に渡って前記パッケージ用アンテナと電磁結合するコイル状のケース用アンテナが形成されたケースとを有する。
【００１１】
また、物品が収納されたパッケージを収納可能に構成され、前記パッケージに設けられたＲＦ−ＩＤメディアを用いて物品を管理するためのケースであって、
前記パッケージが収納された場合に、前記パッケージに前記ＲＦ−ＩＤメディアと電磁結合するように形成されたコイル状のパッケージ用アンテナと対向する面及び該面に隣接する面に渡って前記パッケージ用アンテナと電磁結合するコイル状のケース用アンテナが形成されている。
【００１２】
また、パッケージに収納された物品をＲＦ−ＩＤメディアを用いて管理する物品管理システムであって、
前記パッケージの１つの面に、前記ＲＦ−ＩＤメディアが設けられるとともに該ＲＦ−ＩＤメディアと電磁結合するコイル状のパッケージ用アンテナが形成され、
前記パッケージを収納可能に構成され、前記パッケージが収納された場合に前記パッケージ用アンテナと対向する面及び該面に隣接する面に渡って前記パッケージ用アンテナと電磁結合するコイル状のケース用アンテナが形成されたケースと、
前記ケースが載置可能に構成され、前記ケースが載置された場合に前記ケースに形成された前記ケース用アンテナのうち、前記隣接する面に形成された部分にその一部が対向し、かつ、前記ＲＦ−ＩＤメディアに対する情報の読み出しを行う情報読出手段に接続されたコイル状の読出アンテナが形成された載置部材とを有する。
【００１３】
また、前記ケース用アンテナは、前記パッケージ用アンテナと対向する面に形成された部分と、前記読出アンテナと対向する部分とでは、前記載置部材上への載置面からの距離が異なるように形成されていることを特徴とする。
【００１４】
また、パッケージに収納された物品をＲＦ−ＩＤメディアを用いて管理するためのケースユニットであって、
前記パッケージの１つの面に前記ＲＦ−ＩＤメディアが設けられ、
前記パッケージを収納可能に構成され、前記パッケージが収納された場合に前記ＲＦ−ＩＤメディアと対向する面及び該面に隣接する面に渡って前記ＲＦ−ＩＤメディアと電磁結合するコイル状のケース用アンテナが形成されたケースとを有する。
【００１５】
また、物品が収納されたパッケージを収納可能に構成され、前記パッケージに設けられたＲＦ−ＩＤメディアを用いて物品を管理するためのケースであって、
前記パッケージが収納された場合に、前記ＲＦ−ＩＤメディアと対向する面及び該面に隣接する面に渡って前記ＲＦ−ＩＤメディアと電磁結合するコイル状のケース用アンテナが形成されている。
【００１６】
また、パッケージに収納された物品をＲＦ−ＩＤメディアを用いて管理する物品管理システムであって、
前記パッケージの１つの面に前記ＲＦ−ＩＤメディアが設けられ、
前記パッケージを収納可能に構成され、前記パッケージが収納された場合に前記ＲＦ−ＩＤメディアと対向する面及び該面に隣接する面に渡って前記ＲＦ−ＩＤメディアと電磁結合するコイル状のケース用アンテナが形成されたケースと、
前記ケースが載置可能に構成され、前記ケースが載置された場合に前記ケースに形成された前記ケース用アンテナのうち、前記隣接する面に形成された部分にその一部が対向し、かつ、前記ＲＦ−ＩＤメディアに対する情報の読み出しを行う情報読出手段に接続されたコイル状の読出アンテナが形成された載置部材とを有する。
【００１７】
また、前記ケース用アンテナは、前記ＲＦ−ＩＤメディアと対向する面に形成された部分と、前記読出アンテナと対向する部分とでは、前記載置部材上への載置面からの距離が異なるように形成されていることを特徴とする。
【００１８】
上記のように構成された本発明においては、物品が収納されたパッケージの１つの面に設けられたＲＦ−ＩＤメディアとその面に形成されたコイル状のパッケージ用アンテナとが電磁結合し、さらに、このパッケージがケースに収納された場合、ケースに形成されたコイル状のケース用アンテナがパッケージに形成されたパッケージ用アンテナと電磁結合する。ここで、ケースに形成されたケース用アンテナは、パッケージがケースに収納された場合に、パッケージ用アンテナと対向する面及びその面に隣接する面に渡って形成されているため、ＲＦ−ＩＤメディアに対して情報の書き込み及び読み出しを行う情報書込／読出手段に接続されたアンテナを、ＲＦ−ＩＤメディアに対向させなくても、ケースに形成されたケース用アンテナのうち、パッケージ用アンテナと対向する面に隣接する面に形成された部分にその一部が対向するように設置すれば、ＲＦ−ＩＤメディアに対する通信可能距離が短くなることはない。
【００１９】
このように、ＲＦ−ＩＤメディアに対して情報の書き込み及び読み出しを行う情報書込／読出手段に接続されたアンテナを、ＲＦ−ＩＤメディアに対向させなくても、通信可能距離が短くなることなくＲＦ−ＩＤメディアに対する通信を行うことができるので、ＲＦ−ＩＤメディアが設けられたパッケージに収納された物品の配置方向についての制約が少なくなる。
【発明の効果】
【００２０】
以上説明したように本発明においては、物品が収納されたパッケージの１つの面に、ＲＦ−ＩＤメディアが設けられるとともにＲＦ−ＩＤメディアと電磁結合するコイル状のパッケージ用アンテナが形成され、また、パッケージが収納可能に構成され、パッケージが収納された場合にパッケージ用アンテナと対向する面及び該面に隣接する面に渡ってパッケージ用アンテナと電磁結合するコイル状のケース用アンテナが形成されたケースとを少なくとも有する構成としたため、ＲＦ−ＩＤメディアに対して情報の書き込み及び読み出しを行う情報書込／読出手段に接続されたアンテナを、ＲＦ−ＩＤメディアに対向させなくても、ケースに形成されたケース用アンテナのうち、パッケージ用アンテナと対向する面に隣接する面に形成された部分にその一部が対向するように設置すれば、ＲＦ−ＩＤメディアに対する通信可能距離が短くなることがなくなり、それにより、物品の配置方向について少ない制約でＲＦ−ＩＤメディアを用いて物品を管理することができる。
【発明を実施するための最良の形態】
【００２１】
以下に、本発明の実施の形態について図面を参照して説明する。
【００２２】
（第１の実施の形態）
図１は、本発明のケースユニットの第１の実施の形態を示す図であり、（ａ）は物品が収納されたパッケージを示す図、（ｂ）は（ａ）に示したパッケージが収納されるケースを示す図、（ｃ）は（ａ）に示したパッケージが（ｂ）に示したケースに収納された状態を示す図である。
【００２３】
本形態は図１に示すように、物品（不図示）が収納されたパッケージ１０がケース２０に収納されて構成されている。
【００２４】
パッケージ１０は、収納された物品を管理するためのＲＦ−ＩＤメディアである非接触型ＩＣラベル１が１つの面に貼付され、また、その同一面には、非接触型ＩＣラベル１に電磁結合するコイル状のパッケージ用アンテナ１１が形成されている。なお、このパッケージ用アンテナ１１は、周知の様々な方法によって形成することが考えられるが、銀等からなる導電性ペーストをパッケージ１０上に印刷することにより形成すれば安価に形成することができる。また、ＲＦ−ＩＤメディアとしては、非接触型ＩＣラベル１に限らず、タグ形状のものも考えられ、タグ形状のものをはめ込んだり、埋め込んだりすることによってＲＦ−ＩＤメディアをパッケージ１０に設けることもできる。
【００２５】
ケース２０は、パッケージ１０を収納可能に構成された収納部２２が設けられ、この収納部２２にパッケージ１０が収納された場合に、パッケージ１０に形成されたパッケージ用アンテナ１１と対向する面及びその面に隣接する面に渡ってパッケージ用アンテナ１１と電磁結合するコイル状のケース用アンテナ２１が形成されている。なお、このケース２０は、収納部２２にパッケージ１０が収納された状態で収納部２２の挿入口とは反対側が下面となって載置されることになるが、ケース２０に形成されたケース用アンテナ２１においては、パッケージ１０が収納された場合にパッケージ用アンテナ１１と対向する面に形成された部分と、その面に隣接する面に形成された部分とでは、その載置面からの距離が、パッケージ用アンテナ１１と対向する面に形成された部分の方が長くなるように形成されている。また、このケース用アンテナ２１においても、パッケージ用アンテナ１１と同様に、周知の様々な方法によって形成することが考えられるが、銀等からなる導電性ペーストをケース２０上に印刷することにより形成すれば安価に形成することができる。
【００２６】
上記のように構成されたパッケージ１０がケース２０に設けられた収納部２２に収納されることになるが、パッケージ１０が収納部２２に収納されると、図１（ｃ）に示すように、パッケージ１０の一部が収納部２２から突出し、ケース２０に形成されたケース用アンテナ２１のうち、上述した載置面に最も近い部分が、パッケージ１０に形成されたパッケージ用アンテナ１１の一部と対向するようになる。
【００２７】
図２は、図１に示したパッケージ１０に貼付された非接触型ＩＣラベル１の構造を示す図である。
【００２８】
本形態における非接触型ＩＣラベル１は図２に示すように、樹脂シート等のベース基材４上に、外部からの情報の書き込み及び読み出しが可能なＩＣチップ２が搭載されるとともに、接点５を介してＩＣチップ２と接続され、外部に設けられた情報書込／読出装置（不図示）からの電磁誘導によりＩＣチップ２に電流を供給し、ＩＣチップ２に対する情報の書き込み及び読み出しを非接触状態にて行うための導電性のアンテナ３がコイル状に形成されて構成されている。
【００２９】
上記のように構成された非接触型ＩＣラベル１においては、外部に設けられた情報書込／読出装置に近接すると、情報書込／読出装置からの電磁誘導によりアンテナ３に電流が流れ、この電流がＩＣチップ２に供給され、それにより、非接触状態において、情報書込／読出装置からＩＣチップ２に情報が書き込まれたり、ＩＣチップ２に書き込まれた情報が情報書込／読出装置にて読み出されたりする。すなわち、本形態においては、物品が収納されたパッケージ１０に貼付された非接触型ＩＣラベル１のＩＣチップ２に、その物品を特定可能な情報を書き込んでおき、この情報を情報書込／読出装置にて読み出すことにより、非接触型ＩＣラベル１を用いた物品管理を行うことになる。
【００３０】
以下に、上述したケースユニットを用いて物品を管理する物品管理システムについて説明する。
【００３１】
図３は、図１に示したケースユニットを用いた物品管理システムの一例を示す図である。
【００３２】
本形態における物品管理システムは図３に示すように、図１に示したようなパッケージ１０が収納されたケース２０が、パッケージ１０に貼付された非接触型ＩＣラベル１に対して非接触状態にて情報の書き込み及び読み出しを行う情報書込／読出装置４０に接続されたコイル状の読出アンテナ３１が形成された載置台３０上に載置されて構成される。
【００３３】
載置台３０に形成された読出アンテナ３１は、ケース２０が載置台３０上に載置された場合に、その一部が、ケース２０に形成されたケース用アンテナ２１のうち、パッケージ１０に形成されたパッケージ用アンテナ１１と対向する面に隣接する面に形成された部分と対向するように形成されている。なお、対向とは、ケース用アンテナ２１と電磁結合するために略平行に配置された状態であって、各アンテナ間の距離は近いことが好ましいが、アンテナのサイズや材質等によりデータの読取が可能なだけの電磁結合が確保される距離であれば良い。
【００３４】
上述したように、パッケージ１０が収納されたケース２０が、情報書込／読出装置４０に接続された読出アンテナ３１が形成された載置台３０上に載置された状態においては、情報書込／読出装置４０に接続された読出アンテナ３１とパッケージ１０に貼付された非接触型ＩＣラベル１との距離が長く、かつ、それらが互いに対向していないため、情報書込／読出装置４０において非接触型ＩＣラベル１に対する情報の書き込み及び読み出しを直接行うことができない。
【００３５】
ところが、本形態においては、非接触型ＩＣラベル１が貼付されたパッケージ１０には、非接触型ＩＣラベル１に電磁結合するパッケージ用アンテナ１１が形成されており、また、このパッケージ１０が収納されたケース２０には、パッケージ１０が収納された場合に、パッケージ１０に形成されたパッケージ用アンテナ１１と対向する面及びその面に隣接する面に渡ってパッケージ用アンテナ１１と電磁結合するケース用アンテナ２１が形成されており、このケース２０が載置台３０上に載置された場合に、ケース２０に形成されたケース用アンテナ２１のうち、パッケージ１０に形成されたパッケージ用アンテナ１１と対向する面に隣接する面に形成された部分と、情報書込／読出装置４０に接続された読出アンテナ３１の一部とが対向するため、情報書込／読出装置４０において非接触型ＩＣラベル１に対する情報の書き込み及び読み出しを行うことができるようになる。なお、本形態においては、非接触型ＩＣラベル１に対して情報の書き込み及び読み出しが可能な情報書込／読出装置４０が読出アンテナ３１に接続されて構成されているが、非接触型ＩＣラベル１に対して少なくとも情報の読み出しが可能な情報読出手段が読出アンテナ３１に接続される構成であってもよい。
【００３６】
以下にその詳細な動作について説明する。
【００３７】
図４は、図３に示した物品管理システムの動作を説明するための図である。
【００３８】
パッケージ１０が収納されたケース２０が載置台３０上に載置された状態において、情報書込／読出装置４０にて、パッケージ１０に貼付された非接触型ＩＣラベル１に対して情報の書き込みあるいは読み出しを行うために読出アンテナ３１に電流が流れると、読出アンテナ３１の一部に対向しているケース用アンテナ２１が読出アンテナ３１と電磁結合し（図中Ａ）、それにより、ケース用アンテナ２１に電流が流れる。
【００３９】
また、ケース用アンテナ２１に電流が流れると、ケース用アンテナ２１に対向しているパッケージ用アンテナ１１がケース用アンテナ２１と電磁結合し（図中Ｂ）、それにより、パッケージ用アンテナ１１に電流が流れる。すると、パッケージ１０に貼付された非接触型ＩＣラベル１のアンテナ３（図２参照）がパッケージ用アンテナ１１と電磁結合し（図中Ｃ）、アンテナ３に電流が流れ、この電流が非接触型ＩＣラベル１のＩＣチップ２（図２参照）に供給され、それにより、情報書込／読出装置４０から、読出アンテナ３１、ケース用アンテナ２１、パッケージ用アンテナ１１及びアンテナ３を介して非接触型ＩＣラベル１のＩＣチップ２に情報が書き込まれたり、非接触型ＩＣラベル１のＩＣチップ２に書き込まれた情報が、アンテナ３、パッケージ用アンテナ１１、ケース用アンテナ２１及び読出アンテナ３１を介して情報書込／読出装置４０に読み出されたりする。
【００４０】
（第２の実施の形態）
上述した第１の実施の形態においては、ケース２０に形成されたケース用アンテナ２１を、パッケージ１０が収納された場合にパッケージ用アンテナ１１と対向する面に形成された部分と、その面に隣接する面に形成された部分とで、その載置面からの距離が、パッケージ用アンテナ１１と対向する面に形成された部分の方が長くなるように形成し、それにより、ケース２０に形成されたケース用アンテナ２１のうち、ケース２０が載置台３０上に載置された場合に、載置台３０に形成された読出アンテナ３１と対向する部分のみが載置台３０に近接する構成とし、ケース用アンテナ２１の他の領域と読出アンテナ３１との間における不必要な電磁結合が生じることを回避しているが、そのようなことを考慮しない場合は、ケース２０に形成されたケース用アンテナ２１において、パッケージ１０が収納された場合にパッケージ用アンテナ１１と対向する面に形成された部分と、その面に隣接する面に形成された部分とで、その載置面からの距離が等しくなるような形状に形成することも考えられる。以下に、そのような場合の実施の形態について説明する。
【００４１】
図５は、本発明のケースユニットの第２の実施の形態を示す図であり、（ａ）は物品が収納されたパッケージを示す図、（ｂ）は（ａ）に示したパッケージが収納されるケースを示す図、（ｃ）は（ａ）に示したパッケージが（ｂ）に示したケースに収納された状態を示す図である。
【００４２】
本形態は図５に示すように、物品（不図示）が収納されたパッケージ１０がケース１２０に収納されて構成されている。
【００４３】
パッケージ１０は、図１に示したものと同一のものであって、収納された物品を管理するためのＲＦ−ＩＤメディアである非接触型ＩＣラベル１が１つの面に貼付され、また、その同一面には、非接触型ＩＣラベル１に電磁結合するコイル状のパッケージ用アンテナ１１が形成されている。なお、このパッケージ用アンテナ１１は、周知の様々な方法によって形成することが考えられるが、銀等からなる導電性ペーストをパッケージ１０上に印刷することにより形成すれば安価に形成することができる。また、ＲＦ−ＩＤメディアとしては、非接触型ＩＣラベル１に限らず、タグ形状のものも考えられ、タグ形状のものをはめ込んだり、埋め込んだりすることによってＲＦ−ＩＤメディアをパッケージ１０に設けることもできる。
【００４４】
ケース１２０は、パッケージ１１０を収納可能に構成された収納部１２２が設けられ、この収納部１２２にパッケージ１１０が収納された場合に、パッケージ１０に形成されたパッケージ用アンテナ１１と対向する面及びその面に隣接する面に渡ってパッケージ用アンテナ１１と電磁結合するコイル状のケース用アンテナ１２１が形成されている。なお、このケース用アンテナ１２１においても、パッケージ用アンテナ１１と同様に、周知の様々な方法によって形成することが考えられるが、銀等からなる導電性ペーストをケース１２０上に印刷することにより形成すれば安価に形成することができる。
【００４５】
上記のように構成されたパッケージ１０がケース１２０に設けられた収納部１２２に収納されることになるが、パッケージ１０が収納部１２２に収納されると、図５（ｃ）に示すように、パッケージ１０の一部が収納部１２２から突出し、ケース１２０に形成されたケース用アンテナ１２１のうち、収納部１２２の挿入口に最も近い部分が、パッケージ１０に形成されたパッケージ用アンテナ１１の一部と対向するようになる。
【００４６】
以下に、上述したケースユニットを用いて物品を管理する物品管理システムについて説明する。
【００４７】
図６は、図５に示したケースユニットを用いた物品管理システムの一例を示す図である。
【００４８】
本形態における物品管理システムは図６に示すように、図５に示したようなパッケージ１０が収納されたケース１２０が、パッケージ１０に貼付された非接触型ＩＣラベル１に対して非接触状態にて情報の書き込み及び読み出しを行う情報書込／読出装置４０に接続されたコイル状の読出アンテナ３１が形成された載置台３０上に載置されて構成される。
【００４９】
載置台３０に形成された読出アンテナ３１は、ケース１２０が載置台３０上に載置された場合に、その一部が、ケース１２０に形成されたケース用アンテナ１２１のうち、パッケージ１０に形成されたパッケージ用アンテナ１１と対向する面に隣接する面に形成された部分と対向するように形成されている。なお、対向とは、ケース用アンテナ１２１と電磁結合するために略平行に配置された状態であって、各アンテナ間の距離は近いことが好ましいが、アンテナのサイズや材質等によりデータの読取が可能なだけの電磁結合が確保される距離であれば良い。
【００５０】
上述したように、パッケージ１０が収納されたケース１２０が、情報書込／読出装置４０に接続された読出アンテナ３１が形成された載置台３０上に載置された状態においては、情報書込／読出装置４０に接続された読出アンテナ３１とパッケージ１０に貼付された非接触型ＩＣラベル１との距離が長く、かつ、それらが互いに対向していないため、情報書込／読出装置４０において非接触型ＩＣラベル１に対する情報の書き込み及び読み出しを直接行うことができない。
【００５１】
ところが、本形態においては、非接触型ＩＣラベル１が貼付されたパッケージ１０には、非接触型ＩＣラベル１に電磁結合するパッケージ用アンテナ１１が形成されており、また、このパッケージ１０が収納されたケース１２０には、パッケージ１０が収納された場合に、パッケージ１０に形成されたパッケージ用アンテナ１１と対向する面及びその面に隣接する面に渡ってパッケージ用アンテナ１１と電磁結合するケース用アンテナ１２１が形成されており、このケース１２０が載置台３０上に載置された場合に、ケース１２０に形成されたケース用アンテナ１２１のうち、パッケージ１０に形成されたパッケージ用アンテナ１１と対向する面に隣接する面に形成された部分と、情報書込／読出装置４０に接続された読出アンテナ３１の一部とが対向するため、情報書込／読出装置４０において非接触型ＩＣラベル１に対する情報の書き込み及び読み出しを行うことができるようになる。なお、本形態においては、非接触型ＩＣラベル１に対して情報の書き込み及び読み出しが可能な情報書込／読出装置４０が読出アンテナ３１に接続されて構成されているが、非接触型ＩＣラベル１に対して少なくとも情報の読み出しが可能な情報読出手段が読出アンテナ３１に接続される構成であってもよい。
【００５２】
以下にその詳細な動作について説明する。
【００５３】
図７は、図６に示した物品管理システムの動作を説明するための図である。
【００５４】
パッケージ１０が収納されたケース１２０が載置台３０上に載置された状態において、情報書込／読出装置４０にて、パッケージ１０に貼付された非接触型ＩＣラベル１に対して情報の書き込みあるいは読み出しを行うために読出アンテナ３１に電流が流れると、読出アンテナ３１の一部に対向しているケース用アンテナ１２１が読出アンテナ３１と電磁結合し（図中Ａ）、それにより、ケース用アンテナ１２１に電流が流れる。
【００５５】
また、ケース用アンテナ１２１に電流が流れると、ケース用アンテナ１２１に対向しているパッケージ用アンテナ１１がケース用アンテナ１２１と電磁結合し（図中Ｂ）、それにより、パッケージ用アンテナ１１に電流が流れる。すると、パッケージ１０に貼付された非接触型ＩＣラベル１のアンテナ３（図２参照）がパッケージ用アンテナ１１と電磁結合し（図中Ｃ）、アンテナ３に電流が流れ、この電流が非接触型ＩＣラベル１のＩＣチップ２（図２参照）に供給され、それにより、情報書込／読出装置４０から読出アンテナ３１、ケース用アンテナ１２１、パッケージ用アンテナ１１及びアンテナ３を介して非接触型ＩＣラベル１のＩＣチップ２に情報が書き込まれたり、非接触型ＩＣラベル１のＩＣチップ２に書き込まれた情報が、アンテナ３、パッケージ用アンテナ１１、ケース用アンテナ１２１及び読出アンテナ３１を介して情報書込／読出装置４０に読み出されたりする。
【００５６】
（第３の実施の形態）
上述した第１の実施の形態においては、非接触型ＩＣラベル１が貼付されたパッケージ１０に、非接触型ＩＣラベル１に電磁結合するパッケージ用アンテナ１１が形成されており、また、このパッケージ１０が収納されたケース２０に、パッケージ１０が収納された場合に、パッケージ１０に形成されたパッケージ用アンテナ１１と対向する面及びその面に隣接する面に渡ってパッケージ用アンテナ１１と電磁結合するケース用アンテナ２１が形成されており、このケース２０が載置台３０上に載置された場合に、ケース２０に形成されたケース用アンテナ２１のうち、パッケージ１０に形成されたパッケージ用アンテナ１１と対向する面に隣接する面に形成された部分と、情報書込／読出装置４０に接続された読出アンテナ３１の一部とが対向することにより、情報書込／読出装置４０において非接触型ＩＣラベル１に対する情報の書き込み及び読み出しが可能となっているが、パッケージ１０がケース２０に収納された場合に、ケース２０に形成されたケース用アンテナ２１と対向する領域に非接触型ＩＣラベル１を貼付しておき、それにより、パッケージ１０にパッケージ用アンテナ１１を形成しないことも考えられる。
【００５７】
図８は、本発明のケースユニットの第３の実施の形態を示す図であり、（ａ）は物品が収納されたパッケージを示す図、（ｂ）は（ａ）に示したパッケージが収納されるケースを示す図、（ｃ）は（ａ）に示したパッケージが（ｂ）に示したケースに収納された状態を示す図である。
【００５８】
本形態は図８に示すように、物品（不図示）が収納されるとともに、１つの面にＲＦ−ＩＤメディアである非接触型ＩＣラベル１が貼付されたパッケージ１１０がケース２０に収納されて構成されている。なお、ＲＦ−ＩＤメディアとしては、非接触型ＩＣラベル１に限らず、タグ形状のものも考えられ、タグ形状のものをはめ込んだり、埋め込んだりすることによってＲＦ−ＩＤメディアをパッケージ１０に設けることもできる。
【００５９】
ケース２０は、パッケージ１１０を収納可能に構成された収納部２２が設けられ、この収納部２２にパッケージ１１０が収納された場合に、パッケージ１１０に貼付された非接触型ＩＣラベル１と対向する面及びその面に隣接する面に渡って非接触型ＩＣラベル１と電磁結合するコイル状のケース用アンテナ２１が形成されている。なお、このケース２０は、収納部２２にパッケージ１１０が収納された状態で収納部２２の挿入口とは反対側が下面となって載置されることになるが、ケース２０に形成されたケース用アンテナ２１においては、パッケージ１０が収納された場合に非接触型ＩＣラベル１と対向する面に形成された部分と、その面に隣接する面に形成された部分とでは、その載置面からの距離が、非接触型ＩＣラベル１と対向する面に形成された部分の方が長くなるように形成されている。また、このケース用アンテナ２１においては、周知の様々な方法によって形成することが考えられるが、銀等からなる導電性ペーストをケース２０上に印刷することにより形成すれば安価に形成することができる。
【００６０】
上記のように構成されたパッケージ１１０がケース２０に設けられた収納部２２に収納されることになるが、パッケージ１１０が収納部２２に収納されると、図８（ｃ）に示すように、パッケージ１１０の一部が収納部２２から突出し、ケース２０に形成されたケース用アンテナ２１のうち、上述した載置面に最も近い部分が、パッケージ１１０に貼付された非接触型ＩＣラベル１の一部と対向するようになる。
【００６１】
以下に、上述したケースユニットを用いて物品を管理する物品管理システムについて説明する。
【００６２】
図９は、図８に示したケースユニットを用いた物品管理システムの一例を示す図である。
【００６３】
本形態における物品管理システムは図９に示すように、図８に示したようなパッケージ１１０が収納されたケース２０が、パッケージ１０に貼付された非接触型ＩＣラベル１に対して非接触状態にて情報の書き込み及び読み出しを行う情報書込／読出装置４０に接続されたコイル状の読出アンテナ３１が形成された載置台３０上に載置されて構成される。
【００６４】
載置台３０に形成された読出アンテナ３１は、ケース２０が載置台３０上に載置された場合に、その一部が、ケース２０に形成されたケース用アンテナ２１のうち、パッケージ１１０に貼付された非接触型ＩＣラベル１と対向する面に隣接する面に形成された部分と対向するように形成されている。なお、対向とは、ケース用アンテナ２１と電磁結合するために略平行に配置された状態であって、各アンテナ間の距離は近いことが好ましいが、アンテナのサイズや材質等によりデータの読取が可能なだけの電磁結合が確保される距離であれば良い。
【００６５】
上述したように、パッケージ１１０が収納されたケース２０が、情報書込／読出装置４０に接続された読出アンテナ３１が形成された載置台３０上に載置された状態においては、情報書込／読出装置４０に接続された読出アンテナ３１とパッケージ１１０に貼付された非接触型ＩＣラベル１との距離が長く、かつ、それらが互いに対向していないため、情報書込／読出装置４０において非接触型ＩＣラベル１に対する情報の書き込み及び読み出しを直接行うことができない。
【００６６】
ところが、本形態においては、パッケージ１１０が収納されたケース２０に、パッケージ１１０が収納された場合に、パッケージ１１０に貼付された非接触型ＩＣラベル１と対向する面及びその面に隣接する面に渡って非接触型ＩＣラベル１と電磁結合するケース用アンテナ２１が形成されており、このケース２０が載置台３０上に載置された場合に、ケース２０に形成されたケース用アンテナ２１のうち、パッケージ１１０に貼付された非接触型ＩＣラベル１と対向する面に隣接する面に形成された部分と、情報書込／読出装置４０に接続された読出アンテナ３１の一部とが対向するため、情報書込／読出装置４０において非接触型ＩＣラベル１に対する情報の書き込み及び読み出しを行うことができるようになる。なお、本形態においては、非接触型ＩＣラベル１に対して情報の書き込み及び読み出しが可能な情報書込／読出装置４０が読出アンテナ３１に接続されて構成されているが、非接触型ＩＣラベル１に対して少なくとも情報の読み出しが可能な情報読出手段が読出アンテナ３１に接続される構成であってもよい。
【００６７】
以下にその詳細な動作について説明する。
【００６８】
図１０は、図９に示した物品管理システムの動作を説明するための図である。
【００６９】
パッケージ１１０が収納されたケース２０が載置台３０上に載置された状態において、情報書込／読出装置４０にて、パッケージ１１０に貼付された非接触型ＩＣラベル１に対して情報の書き込みあるいは読み出しを行うために読出アンテナ３１に電流が流れると、読出アンテナ３１の一部に対向しているケース用アンテナ２１が読出アンテナ３１と電磁結合し（図中Ａ）、それにより、ケース用アンテナ２１に電流が流れる。
【００７０】
また、ケース用アンテナ２１に電流が流れると、ケース用アンテナ２１に対向している非接触型ＩＣラベル１のアンテナ３（図２参照）がケース用アンテナ２１と電磁結合し（図中Ｂ）、アンテナ３に電流が流れ、この電流が非接触型ＩＣラベル１のＩＣチップ２（図２参照）に供給され、それにより、情報書込／読出装置４０から、読出アンテナ３１、ケース用アンテナ２１及びアンテナ３を介して非接触型ＩＣラベル１のＩＣチップ２に情報が書き込まれたり、非接触型ＩＣラベル１のＩＣチップ２に書き込まれた情報が、アンテナ３、ケース用アンテナ２１及び読出アンテナ３１を介して情報書込／読出装置４０に読み出されたりする。
【図面の簡単な説明】
【００７１】
【図１】本発明のケースユニットの第１の実施の形態を示す図であり、（ａ）は物品が収納されたパッケージを示す図、（ｂ）は（ａ）に示したパッケージが収納されるケースを示す図、（ｃ）は（ａ）に示したパッケージが（ｂ）に示したケースに収納された状態を示す図である。
【図２】図１に示したパッケージに貼付された非接触型ＩＣラベルの構造を示す図である。
【図３】図１に示したケースユニットを用いた物品管理システムの一例を示す図である。
【図４】図３に示した物品管理システムの動作を説明するための図である。
【図５】本発明のケースユニットの第２の実施の形態を示す図であり、（ａ）は物品が収納されたパッケージを示す図、（ｂ）は（ａ）に示したパッケージが収納されるケースを示す図、（ｃ）は（ａ）に示したパッケージが（ｂ）に示したケースに収納された状態を示す図である。
【図６】図５に示したケースユニットを用いた物品管理システムの一例を示す図である。
【図７】図６に示した物品管理システムの動作を説明するための図である。
【図８】本発明のケースユニットの第３の実施の形態を示す図であり、（ａ）は物品が収納されたパッケージを示す図、（ｂ）は（ａ）に示したパッケージが収納されるケースを示す図、（ｃ）は（ａ）に示したパッケージが（ｂ）に示したケースに収納された状態を示す図である。
【図９】図８に示したケースユニットを用いた物品管理システムの一例を示す図である。
【図１０】図９に示した物品管理システムの動作を説明するための図である。
【図１１】一般的な非接触型ＩＣラベルの構造の一例を示す図である。
【符号の説明】
【００７２】
１    非接触型ＩＣラベル
２    ＩＣチップ
３    アンテナ
４    ベース基材
５    接点
１０，１１０    パッケージ
１１    パッケージ用アンテナ
２０，１２０    ケース
２１，１２１    ケース用アンテナ
２２，１２２    収納部
３０    載置台
３１    読出アンテナ
４０    情報書込／読出装置
【図１】
2005228007.tif 000003
【図２】
2005228007.tif 000004
【図３】
2005228007.tif 000005
【図４】
2005228007.tif 000006
【図５】
2005228007.tif 000007
【図６】
2005228007.tif 000008
【図７】
2005228007.tif 000009
【図８】
2005228007.tif 000010
【図９】
2005228007.tif 000011
【図１０】
2005228007.tif 000012
【図１１】
2005228007.tif 000013